(57)【特許請求の範囲】
【請求項１】
少なくとも２電極を基板に対して垂直に貫通または埋め込むことにより、中空の柱状構造物を形成せしめ、該柱状構造物内部に基板に対して垂直に穿刺用棒状針を配置せしめてなる針一体型バイオセンサー。
【請求項２】
基板を境にして電極とは反対側に、測定装置に電気信号を送る端子を設けた請求項１記載の針一体型バイオセンサー。
【請求項３】
電極が埋め込まれた基板の側面に測定装置に電気信号を送る端子が形成された請求項１記載の針一体型バイオセンサー。
【請求項４】
電極が電極形成用基板上に成膜または電極形成用基板と貼り合わせることにより形成される請求項１記載の針一体型バイオセンサー。
【請求項５】
レジストにより電極面積が規定されている請求項１記載の針一体型バイオセンサー。
【請求項６】
電極上に試薬層を形成せしめた請求項１記載の針一体型バイオセンサー。
【請求項７】
光触媒機能が付与された穿刺用棒状針が用いられる請求項１記載の針一体型バイオセンサー。
【請求項８】
毛細管現象による体液採取停止部を備えた請求項１記載の針一体型バイオセンサー。
【請求項９】
基板が透明である請求項１乃至８のいずれかに記載の針一体型バイオセンサー。
【請求項１０】
カートリッジ式である請求項１乃至９のいずれかに記載の針一体型バイオセンサー。
【請求項１１】
使い捨てタイプである請求項１０記載の針一体型バイオセンサーカートリッジ。
【請求項１２】
包装された状態である請求項１０記載の針一体型バイオセンサーカートリッジ。
【請求項１３】
再包装が可能な状態で包装された請求項１２記載の針一体型バイオセンサーカートリッジ。
【請求項１４】
請求項１０乃至１３のいずれかに記載の針一体型バイオセンサーカートリッジを複数個収納した針一体型バイオセンサーカートリッジ包装体。
【請求項１５】
請求項１０乃至１３のいずれかに記載の針一体型バイオセンサーカートリッジと、該カートリッジを挿入させてセットする針一体型バイオセンサーカートリッジ導入部、該カートリッジの電極における電気的な信号を捉えるコネクター部、コネクター部を介して電気的な値を計測する計測部、計測のための操作パネル部、計測部における計測値を表示する表示部、計測値を保存するメモリ部、穿刺針の駆動部、駆動部引き金部および穿刺針による穿刺を開始する穿刺開始ボタンを備えた針一体型バイオセンサー用測定装置。
【請求項１６】
計測部における計測方法として、ポテンシャルステップクロノアンペロメトリー法、クーロメトリー法またはサイクリックボルタンメトリー法が適用される請求項１５記載の針一体型バイオセンサー用測定装置。
【請求項１７】
針一体型バイオセンサーカートリッジの挿入口を照明可能とした請求項１５または１６記載の針一体型バイオセンサー用測定装置。
【請求項１８】
音声ガイド機能及び音声認識機能、電波時計の内蔵による測定データ管理機能、測定データの医療機関への通信機能および充電機能の少なくとも一つの機能を備えた請求項１５乃至１７のいずれかに記載の針一体型バイオセンサー用測定装置。
【発明の詳細な説明】
【技術分野】
【０００１】
本発明は、針一体型バイオセンサーに関する。さらに詳しくは、皮膚を突き刺して体液(血液等)を得るための穿刺針と、皮膚の表面に取り出された体液を採取し、分析するためのバイオセンサーとを一体化した構成を有する針一体型バイオセンサーに関する。
【背景技術】
【０００２】
従来より、糖尿病患者自らが採血して血中のグルコース値である血糖値を測定する場合がある。この場合、患者は採血針を着脱するランセットと称される採血器具を用い、自分の指先や腕などに採血針を刺して採血し、採血した血液を血糖値分析計に移して血糖値を測定している。このような測定方式では、患者は血糖値分析器、ランセット、採血針および分析素子といった数点からなる測定器具の一式を携帯所持し、必要時にそれらを組み合わせて測定しなければならず、操作法も長い訓練を要し、確実な測定を患者自身で行うことができるようになるまでかなりの時間を要する。実際に、指先、前腕以外の部位（腹壁、耳たぶ等）での測定は、熟練者ですら困難である。また、近年においては、より痛みの少ない低侵襲検体供給のニーズから、検体量が１μl以下で測定可能なバイオセンサーが開発されており、このような極微量な場合、またバイオセンサーへの検体を正確に供給する作業は非常に困難になる。その結果、測定の失敗を招き、被測定者である患者は再度穿刺して、またバイオセンサーも交換し、測定をやり直さなければならないという不都合がある。
【特許文献１】特開平９−２６６８９８号公報
【特許文献２】特公平８−２０４１２号公報
【０００３】
そこで、いくつかの針一体型バイオセンサーが考え出された。まず、特許文献３に示された針一体型バイオセンサーでは、穿刺針の駆動部を備えたペン型（２色ボールペン様）の測定装置の内部に穿刺針とバイオセンサーがそれぞれ別の位置にセットされており、ペン様の測定装置の先端部を被検体の皮膚に当て、穿刺した後、バイオセンサーを先端部に露出させ、採血を行なうことで血糖測定が行なわれる。しかし、この方法では針およびバイオセンサーを測定装置にそれぞれセットするという煩わしさは解消されていない。
【特許文献３】特開２０００−２１７８０４号公報
【０００４】
また、特許文献４で示された針一体型バイオセンサーでは、穿刺針を外部の駆動に委ねるものであり、穿刺針が細長い小片状のバイオセンサーの長手方向に沿って平行に移動する一体構造をとっている。しかし、このタイプでは穿刺針がバイオセンサーの採血搬送路および試薬層を移動するため、穿刺針が被検体の皮膚を突き刺す前に、穿刺針の表面が試薬で汚染される危険性がある。
【特許文献４】再公表２００２−０５６７６９号公報
【０００５】
さらに、使用後の廃棄には感染症などへの配慮が不十分であったり、穿刺用の駆動が測定装置側に備えられ、針一体型バイオセンサーユニットが穿刺時の駆動による衝撃に耐えられない構造であったりなど、多くの問題を残している。
【発明の開示】
【発明が解決しようとする課題】
【０００６】
本発明の目的は、ランセットにみられるような穿刺駆動を必要としないことにより構成が極めて簡単で、そのため組立が容易であり、試料体液の採取が少量で無駄なく確実に行なうことができる針一体型バイオセンサーを提供することにある。
【課題を解決するための手段】
【０００７】
かかる本発明の目的は、少なくとも２電極を基板に対して垂直に貫通または埋め込むことにより、中空の柱状構造物を形成せしめ、該柱状構造物内部に基板に対して垂直に穿刺用棒状針(非穿孔針)を配置せしめてなる針一体型バイオセンサーによって達成される。
【発明の効果】
【０００８】
本発明に係る針一体型バイオセンサーは、試料体液の採取に、ランセットに見られるような穿刺駆動部を必要としないため、構成が極めて簡単であり、そのため組立が容易であり、また毛細管現象による採血手段を備えることで、試料体液の採取が少量で無駄なく確実に行なるという特徴を有している。このようなバイオセンサーは、カートリッジとして使用することができるため、簡易な包装により持ち運びも容易で、使用後も衛生的であるといった効果を奏する。
【発明を実施するための最良の形態】
【０００９】
本発明の針一体型バイオセンサーは、プラスチックなどの電気絶縁性の基板に垂直に配置された少なくとも２本からなる電極系および穿刺用棒状針の組み合わせにより構成される。このバイオセンサーについてさらに詳しく述べる。
【００１０】
バイオセンサー
少なくとも２電極を基板に対して垂直に貫通させて中空の柱状構造物を形成する方法としては、２つの方法が挙げられる。一つは、平面板状電極を間隔を置いて３本以上配置させて中空の角柱状構造物を形成する方法、もう一つは、曲面を成す板状電極を間隔を置いて２本以上配置させて中空の円柱状構造物を形成する方法がある。これら２つのタイプの電極について、それぞれ説明する。
【００１１】
中空の角柱状構造物は、一部または全部を電極とする平板部材を３本以上配置させることで形成され、また中空の円柱状構造物は、一部または全部を電極とする湾曲部材を２本以上配置させることで形成される。
【００１２】
中空の角柱状構造物または円柱状構造物を形成する板部材の一部が電極である場合、電極以外の部分(電極形成用基板)は絶縁性の材料、例えばプラスチック、セラミックスなどの無機材料、生分解性材料、紙などが、好ましくはポリエチレンテレフタレートが用いられる。
【００１３】
板部材の一部をなす電極は、電極形成用基板の表面に導電性材料を成膜することにより、または電極部材と電極形成用基板とを貼り合わせることにより形成される。
【００１４】
電極形成用基板表面への導電性材料の成膜は、スクリーン印刷法、蒸着法、スパッタリング法、箔貼り付け法、メッキ法などにより行われ、電極部材と電極形成用基板との貼り合わせは、接着剤などによって行われる。
【００１５】
導電性材料としては、カーボン、銀、銀／塩化銀、白金、金、ニッケル、銅、パラジウム、チタン、イリジウム、鉛、酸化錫、白金黒などを挙げることができる。また、カーボンとしては、カーボンナノチューブ、カーボンマイクロコイル、カーボンナノホーン、フラーレン、デンドリマーもしくはそれらの誘導体を用いることができる。
【００１６】
電極は、作用極と対極で形成される２極法または作用極と対極、参照極で形成される３極法、あるいはそれ以上の極数の電極であってもよく、また一つの板部材に２極以上形成することもできる。
【００１７】
柱状構造物の形成には、基板が用いられる。基板の材質としては電気絶縁性であれば足り、電極(形成用基板)は、この基板に対して垂直に貫通または埋め込まれることにより配置される。このとき、さらに電極(形成用基板)間にスペーサーを設けることもできる。電極が基板を貫通する場合には、基板を境にして電極とは反対側を測定装置にバイオセンサーからの電気信号を送る端子とし、電極が基板を貫通しない場合には、基板の一部、好ましくは側面などに端子が設けられる。
【００１８】
電極(形成用基板)上には、必要に応じて試薬層が形成される。試薬層は電極表面または板部材表面へ固定化するのが好ましい。この場合、試薬層はスクリーン印刷法またはデスペンサー法により形成され、乾燥を伴う吸着法または共有結合法により電極(形成用基板)表面に固定化される。試薬は、検出対象により異なるが、例えば針一体型バイオセンサーを血糖値測定用に構成する場合には、酸化酵素であるグルコースオキシターゼおよびメディエータとしてのフェリシアン化カリウムを含むものが採用される。これらの試薬が血液によって溶解されると、酵素反応が開始される結果、試薬層に共存させているフェリシアン化カリウムが還元され、還元型の電子伝達体であるフェロシアン化カリウムが蓄積される。その量は、基質濃度、すなわち血液中のグルコース濃度に比例する。一定時間蓄積された還元型の電子伝達体は、電気化学反応により、酸化される。このとき測定される陽極電流から、グルコース濃度(血糖値)が算出される。
【００１９】
針一体型バイオセンサー
針一体型バイオセンサーは、中空の角柱状構造物または円柱状構造物を有するバイオセンサーの一部に穿刺部を組み込むことで形成される。穿刺部は、穿刺用棒状針で構成される。
【００２０】
棒状針は、孔部を有しない針であり、２本以上の電極板部材から構成される角柱状構造物または円柱状構造物の内部、好ましくは中央に配置される。棒状針は基板に対して垂直に埋め込まれるか、あるいは電極(形成用基板)間に設けられたスペーサーによって固定される。後者にあっては、電極間隔も併せて固定できる利点が生じる。また、この場合の棒状針は市販のランセット用穿刺針と同様の材質のものが好ましく、例えばステンレス等を使用して、加工すると良い。
【００２１】
棒状針は、固定後にその先端が電極(形成用基板)よりも突出する必要がある。その長さは、被検体の皮膚を穿刺して血液が採取できる長さであれば足り、0.1〜2mm、好ましくは0.5〜1mm突出するように固定される。ここで穿刺針の突出する長さの調整を可能とすべく、好ましくは、例えば電極間に設けられたスペーサーがネジなどにより、好ましくは段階的に高さ調整が行なえるような機構が用いられる。
【００２２】
棒状針を組み込んだ針一体型バイオセンサーは、その穿刺針突出部分が使用者により被検体の皮膚に直接突き刺されることで、穿刺を可能とする。出血した血液は、２本以上からなる板状電極間を毛細管現象によってバイオセンサー電極反応部まで移送される。このとき、血液によっては、ヘマトクリット値が高い場合など、電極が十分に覆われない可能性があるため、好ましくは採血導入部から離れた電極(形成用基板)部分はレジストで覆われる。これにより、ヘマトクリット値が高い場合でも最低限、電極を満たすことができるので、試料液の移送がその状態に左右されることなく行なえる。一方、ヘマトクリット値が低く、採血の移送が円滑に行なわれる場合にあっては、必要以上の血液の採取を防ぐために、毛細管現象を停止させる必要がある。この手段としては、電極(形成用基板)の基板接続部分を細く縊る、電極(形成用基板)に貫通穴を設けるまたは電極(形成用基板)同士の間隔を基板付近で遠ざける方法などが挙げられる。
【００２３】
穿刺針は、抗菌・抗ウィルスに効果がある光触媒機能を表面に付与させることが好ましく、蒸着法またはスパッタリング法などにより酸化チタンまたは二酸化チタンの膜が形成される。
【００２４】
このような針一体型バイオセンサーは、カートリッジ式になっているので、持ち運びに便利な専用容器への収納ができ、誰でも簡便かつ確実に測定装置に装着することもできる。このカートリッジ式の態様を採ることにより、針一体型バイオセンサーの利便性は従来の方法に比べ飛躍的に向上できる。また簡易な包装が可能であり、使用の前後において終始衛生的に保つことができる。さらに詳しく、包装形態について述べる。
【００２５】
包装形態
針一体型バイオセンサーの包装形態としては、第一に個々の針一体型バイオセンサーの包装、特に針一体型バイオセンサーの先端の穿刺採血部を保護するものが挙げられる。このような包装体としては、先端を保護するキャップ状の簡易包装体が好ましい。これにより、使用時まで穿刺採血部を衛生的かつ安全に保護できる。さらに、このような形態を有することで、使用後の再包装が可能となり、廃棄後に懸念される感染症を未然に防ぐこともでき、また別の使用方法として、穿刺採取後の体液を保存することも可能となる。
【００２６】
第二の包装形態としては、簡易包装した針一体型バイオセンサーカートリッジを複数個まとめて持ち運びが可能とした容器が挙げられる。本発明の針一体型バイオセンサーカートリッジは、簡易包装分の嵩を含めても極めて小型であるので、複数個まとめて容器に収納したとしても、包装容器全体の大きさは小さいものとなる。具体的には、携帯が容易なポケットサイズであることが望ましい。
【００２７】
第三の包装形態としては、包装容器そのものが、内部で針一体型バイオセンサーカートリッジを個別に包装・収納可能なものが挙げられる。この場合、例えば、針一体型バイオセンサーカートリッジをウェル状のトレイに個々に別けて収め、気密性を保つために包装フィルムなどで個別に包装する形態などが挙げられる。
【００２８】
測定装置
針一体型バイオセンサー用の測定装置は、カートリッジタイプの針一体型バイオセンサーを使用した測定が繰り返し確実に行なえるための操作性および耐久性が確保され、かつ持ち運びが容易であるものが好ましい。
【００２９】
具体的には、測定装置下部にある導入部にカートリッジ式の針一体型バイオセンサーを横にスライドまたは垂直方向に差し込む形態が好ましい。このとき、バイオセンサーの端子が測定装置のコネクターと接続することで測定が可能な状態となる。あとは使用者が穿刺部分を決めて穿刺を開始することで穿刺・採血・測定が自動で行なわれ、最終的に測定結果が導かれる仕組みになっている。
【００３０】
構造上の特徴の一例を、さらに詳しく述べる。本測定装置は、カートリッジの導入部、コネクター、電気化学測定用回路、メモリ部、操作パネル、バイオセンサーの電極における電気的な値を計測する計測部および計測部における計測値を表示する表示部を基本構成としており、さらに本装置に無線手段として電波、例えばブルートゥース(登録商標)を搭載することもできる。
【００３１】
また、暗所または弱視者による使用を考慮して、照明機能を備えることもできる。この場合、使用者が針一体型バイオセンサーカートリッジの取り付けおよび穿刺を行なう上で、それらの操作性を向上させることができるような設計が好ましく、例えば測定装置のカートリッジの導入部から照明用の光が照射されることで、使用者が容易にカートリッジを測定装置に導入でき、さらにカートリッジ取り付け後も、導入部からの照明により穿刺部が照らされる形態がよい。そのため、照明機能を備えた針一体型バイオセンサーカートリッジの電極板部材を固定しているスペーサーや隔膜などの材料は、透明な材質であることが好ましい。
【００３２】
この暗所における表示部および穿刺部の自動照明機能の他にも、測定装置には糖尿病疾患による視覚障害に対応した音声ガイド機能及び音声認識機能、電波時計の内蔵による測定データ管理機能、測定データなどの医療機関などへの通信機能、充電機能などを併せ持たせることができる。
【００３３】
測定装置の計測部における計測方法としては、特に限定されないがポテンシャルステップクロノアンペロメトリー法、クーロメトリー法またはサイクリックボルタンメトリー法などを用いることができる。
【００３４】
以上より、本発明の針一体型バイオセンサー及び針一体型バイオセンサーカートリッジ、それらの包装体は、使用者を限定することのない、すなわちユニバーサルな企画に対応し得るものとなっている。
【実施例】
【００３５】
本発明による実施態様の針一体型バイオセンサーおよび針一体型バイオセンサーカートリッジについて、さらに図面を参照しながら詳細に説明するが、本発明はその要旨を超えない限り以下の実施例に限定されるものではない。
【００３６】
図１は、本発明の針一体型バイオセンサーの構成図の一例を示している。図１aはバイオセンサーの構成を示しており、基板５に垂直となるよう２枚の電極板部材１８が円柱状となるように配置され、さらにその電極板部材１８の中心部に棒状穿刺針６が配置されている。棒状穿刺針６は穿刺駆動を要すことなく使用者による穿刺操作で簡単に行なえるよう、電極板部材１８の先端よりも長く突出しており、この部分が、被検体の皮膚を突き破る穿刺部となる。電極板部材１８の先端は穿刺採血口９をなし、使用時、穿刺後の採血は穿刺採血口９を伝って電極反応部１０へと毛細管現象により移送される。このとき、採血の状態、例えばヘマトクリット値によって電極反応部１０に到達する量に変化が生じることを考慮し、ヘマトクリット値が高い採血においても、通常の採血と同様の測定ができるよう、穿刺採血口９付近の電極の有効面積がレジストで規定される。他方、ヘマトクリット値が低い採血に対し、必要以上の採血を防ぐために毛細管現象停止部２２が電極板部材１８と基板５との付け根に設けられている。図示されているのは、電極板部材１８の基板５との付け根部分に切欠き部を有する状態であり、これにより毛細管現象による採血の移送を停止させることができる。また、基板５を挟んだ反対側には、電極板部材１８がスペーサーを貫通して突出しており、この部分は測定装置に針一体型バイオセンサーからの電気信号を送るための端子３となる。
【００３７】
図１bは、針一体型バイオセンサーの中心線縦断面図を示している。図１bでは、穿刺針６は基板５に固定され、筒状電極１８も基板５を貫通することで固定されており、穿刺針６は、その先端が筒状電極１８よりもやや突出している。図１cは、針一体型バイオセンサーの穿刺採血口９から基板５を見た正面図を示している。基板５は、穿刺針６および筒状電極１８を規定の配置に固定している。図１dは、端子３から基板５を見た背面図を示している。
【００３８】
図２は、図１と同じ形態の針一体型バイオセンサーであるが、毛細管現象停止部２２の形状が異なる場合を示す。図２aは構成図、図２bは図２aにおける中心線縦断面図、図２cは穿刺採血口９から基板５を見たときの正面図、図２dは端子３から基板５を見たときの背面図をそれぞれ示している。このように図２aからcに示される様に、採血の毛細管現象を停止するには、電極反応部１０の電極間距離よりも基板５に近い電極板部材間の距離をあけることでも成しうる。
【００３９】
図３は、本発明の針一体型バイオセンサーの構成図の他の一例であり、棒状穿刺針が角柱状の電極板部材の中心部に配置された針一体型バイオセンサーの例を示す図である。図３aは構成図、図３bは図３aにおけるA-A’断面図、図３cは穿刺採血口９から基板５を見たときの正面図、図３dは端子３から基板５を見たときの背面図をそれぞれ示している。
【００４０】
図３に示されている針一体型バイオセンサーの場合、電極板部材１は３本配置され、これら３本の電極板部材１によって三角柱状を形成し、その中心部にはスペーサー２を挟んで穿刺針６が配置されている。このスペーサー２により、電極間および穿刺針の位置関係が固定される。
【００４１】
図４は、本発明の針一体型バイオセンサーカートリッジの包装例および測定装置を伴う一使用例を示す。図４aは、カートリッジを複数個収納できる包装容器２３を示し、図４bは、その内部の様子を示す。この包装容器の形態であれば、カートリッジ自体が小さいため、全体として小型のポケットサイズとなる。さらに、この場合には、個々のカートリッジがウェル状に設けられた空間に収められ、簡易包装フィルム２６によって包装されている。使用時にはこの簡易包装フィルム２６を非接着剤層である摘み部分２８からミシン目３０に沿って剥がして使用できる。この際、簡易包装フィルム２６は弱粘接着剤層２７の部分のみが剥離され、強力接着剤層２９部分は剥がれないようにすることでフィルム２６部分の脱落（ゴミの発生）を防げる。さらに、弱粘接着剤層２７は再接着が可能であれば、使用したカートリッジを元に戻すことができる。この場合、針一体型バイオセンサーカートリッジを通常の注射器と同様に採血などのサンプリング容器として使用する場合にも便利である。
【００４２】
図４cは、針一体型バイオセンサーカートリッジ１５の簡易包装例を示し、この状態で包装容器２３内に収納される。この簡易包装体２４はキャップ状で、取り外しや、使用後の再取り付けが容易な形態であり、体液の採血および保存を目的とした使用方法にも適応できる。また、針一体型バイオセンサーカートリッジのスペーサー２５を透明な材質とすることで、照明機能つきの測定装置に取り付けた場合、暗所においても、照明がスペーサーを通してなされるので、穿刺部の決定を容易にすることができる。
【００４３】
図４dは針一体型バイオセンサーカートリッジ用測定装置を示す。この測定装置３１は操作パネル３２、表示部３３、ボタン３４、フック３５、滑り止め３６および針一体型バイオセンサーカートリッジ導入部３７から構成され、カートリッジ１５はキャップ２４を外した後、測定装置３１の下にある針一体型バイオセンサーカートリッジ導入部３７へ装着される。この測定装置３１の形状であれば持ち運びも容易であり、操作性も優れている。
【００４４】
図５は暗所において針一体型バイオセンサーカートリッジを測定に使用するときの操作の例を示す。図５aは測定装置３１の針一体型バイオセンサーカートリッジ導入部３７からの照明１４により、包装容器２３内にある一つのカートリッジ１５の包装部分を照らしている様子を示している。図５bは、照明１４が測定装置３１に取り付けられたカートリッジ１５の透明スペーサーを通して被検体の穿刺予定部分を照らしている様子を示している。図５cは、照明１４により特定した箇所を穿刺し、採血および測定を行なっている様子を示す。この場合、表示部もバックライトなどにより視認性を高めることができる。
【図面の簡単な説明】
【００４５】
【図１】棒状穿刺針が円柱状の電極板部材の中心部に配置された針一体型バイオセンサーの一構成例を示す図である。
【図２】棒状穿刺針が円柱状の電極板部材の中心部に配置された針一体型バイオセンサーの他の構成例を示す図である。
【図３】棒状穿刺針が角柱状の電極板部材の中心部に配置された針一体型バイオセンサーの一構成例を示す図である。
【図４】針一体型バイオセンサーカートリッジの包装例および測定装置を伴う一使用例を示す図である。
【図５】針一体型バイオセンサーカートリッジおよび測定装置の暗所における一使用例を示す図である。
【符号の説明】
【００４６】
１      平面板状電極（電極板部材）
２      スペーサー
３      端子
５      基板
６      穿刺針
９      穿刺採血口
１０    電極反応部（試薬層）
１４    照明
１５    針一体型バイオセンサー
１６    被検体
１８    筒状電極(電極板部材)
２２    毛細管現象停止部
２３    包装容器
２４    包装用キャップ
２５    透明基板
２６    包装フィルム
２７    弱粘着性接着剤層
２８    非接着剤層（摘み）
２９    強力接着剤層
３０    ミシン目
３１    測定装置
３２    操作パネル
３３    表示部
３４    ボタン
３５    フック
３６    滑り止め
３７    針一体型バイオセンサーカートリッジ導入部
【図１】
0004631029.tif 000002
【図２】
0004631029.tif 000003
【図３】
0004631029.tif 000004
【図４】
0004631029.tif 000005
【図５】
0004631029.tif 000006